(57)【特許請求の範囲】
【請求項１】
一次コイル、二次コイル及びイグナイタをケース内に収容してなる内燃機関用点火コイルにおいて、
上記イグナイタは、上記一次コイルへの通電及びその遮断を行う半導体素子をモールド樹脂によって覆うと共に、２つのグラウンド用導体ピンを上記モールド樹脂から引き出してなり、
一方の上記グラウンド用導体ピンには、上記二次コイルの低電圧側巻線端部に導通された導通部材の一端部が接続してあり、
上記一方のグラウンド用導体ピンは、上記イグナイタの内部において他方のグラウンド用導体ピンと導通されており、
上記一方のグラウンド用導体ピンの先端部には、該先端部を分断するスリットが形成してあり、
上記導通部材の一端部は、上記スリットに嵌入してあることを特徴とする内燃機関用点火コイル。
【請求項２】
請求項１に記載の内燃機関用点火コイルにおいて、上記ケースから突出して設けられたコネクタ部には、グラウンド用端子、点火信号用端子及び電源用端子が配列されており、
上記イグナイタは、上記半導体素子に導通された複数の導体ピンを、上記モールド樹脂から配列した状態で引き出してなり、
上記複数の導体ピンのうち両側の端に位置する導体ピンは、上記一次コイルの一方側巻線端部に導通された電源用導体ピンと、上記一次コイルの他方側巻線端部に導通された半導体素子用導体ピンとであり、
上記電源用導体ピンと上記半導体素子用導体ピンとの間には、上記２つのグラウンド用導体ピンと点火信号用導体ピンとが配列されており、
上記グラウンド用端子には上記他方のグラウンド用導体ピンが接続され、上記点火信号用端子には上記点火信号用導体ピンが接続され、上記電源用端子には上記電源用導体ピンが接続されていることを特徴とする内燃機関用点火コイル。
【請求項３】
請求項１又は２に記載の内燃機関用点火コイルにおいて、上記導通部材は、上記ケース内に収容され、上記一次コイルへの通電を開始した時に上記二次コイルに生ずる起電圧をグラウンドへ逃がすためのダイオードであることを特徴とする内燃機関用点火コイル。
【請求項４】
一次コイル、二次コイル及びイグナイタをケース内に収容してなる内燃機関用点火コイルにおいて、
上記イグナイタは、上記一次コイルへの通電及びその遮断を行う半導体素子をモールド樹脂によって覆うと共に、２つの電源用導体ピンを上記モールド樹脂から引き出してなり、
一方の電源用導体ピンには、上記二次コイルの低電圧側巻線端部に導通された導通部材の一端部が接続してあり、
上記一方の電源用導体ピンは、上記イグナイタの内部において他方の電源用導体ピンと導通されており、
上記一方の電源用導体ピンの先端部には、該先端部を分断するスリットが形成してあり、
上記導通部材の一端部は、上記スリットに嵌入してあることを特徴とする内燃機関用点火コイル。
【請求項５】
請求項４に記載の内燃機関用点火コイルにおいて、上記ケースから突出して設けられたコネクタ部には、グラウンド用端子、点火信号用端子及び電源用端子が配列されており、
上記イグナイタは、上記半導体素子に導通された複数の導体ピンを、上記モールド樹脂から配列した状態で引き出してなり、
上記複数の導体ピンのうち両側の端に位置する導体ピンは、上記一次コイルの一方側巻線端部に導通された上記他方の電源用導体ピンと、上記一次コイルの他方側巻線端部に導通された半導体素子用導体ピンとであり、
上記他方の電源用導体ピンと上記半導体素子用導体ピンとの間には、上記一方の電源用導体ピンとグラウンド用導体ピンと点火信号用導体ピンとが配列されており、
上記グラウンド用端子には上記グラウンド用導体ピンが接合され、上記点火信号用端子には上記点火信号用導体ピンが接合され、上記電源用端子には上記他方の電源用導体ピンが接合されていることを特徴とする内燃機関用点火コイル。
【請求項６】
請求項４又は５に記載の内燃機関用点火コイルにおいて、上記導通部材は、上記ケース内に収容され、上記一次コイルへの通電を開始した時に上記二次コイルに生ずる起電圧を電源へ逃がすためのダイオードであることを特徴とする内燃機関用点火コイル。
【請求項７】
請求項１〜６のいずれか一項に記載の内燃機関用点火コイルにおいて、上記スリットの開口部を形成する内側角部には、上記導通部材の一端部の嵌入を案内するためのテーパ部が形成してあることを特徴とする内燃機関用点火コイル。
【請求項８】
請求項１〜７のいずれか一項に記載の内燃機関用点火コイルにおいて、上記導通部材の一端部は、上記スリットへの嵌入方向の開口側に位置する押込み面を平坦状に形成してなることを特徴とする内燃機関用点火コイル。
【発明の詳細な説明】
【技術分野】
【０００１】
本発明は、エンジン等の内燃機関において、燃焼室内にスパークを発生させるために用いる点火コイルに関する。
【背景技術】
【０００２】
内燃機関に用いる点火コイルは、一次コイル及び二次コイルを備えており、一次コイルへの通電を遮断したときの磁束の変化によって、二次コイルに高電圧を発生させ、点火プラグからスパークを発生させている。点火コイルのケース内には、一次コイルへの通電及びその遮断を行うためのイグナイタが配置されており、イグナイタから引き出された各導体ピンが、ケースに設けたコネクタ部における各端子と接合されている。
【０００３】
一方、各導体ピンを各端子と接合する作業を簡略化するために、圧入によって接続することが知られている。例えば、特許文献１の内燃機関用点火コイルにおいては、ケースに設けたコネクタ部における複数のコネクタターミナルの基端部に略Ｖ字状の切欠を形成している。そして、イグナイタから引き出したイグナイタターミナルをコネクタターミナルの切欠に圧入している。
【先行技術文献】
【特許文献】
【０００４】
【特許文献１】特開平９−２４６０７４号公報
【発明の概要】
【発明が解決しようとする課題】
【０００５】
ところで、二次コイルの低電圧側巻線端部は、ダイオード等を介してグラウンド又は電源に接続している。そして、二次コイルの低電圧側巻線端部の配線は、ケース内であってイグナイタの外部において行っている。そのため、イグナイタから引き出されたグラウンド用導体ピン又は電源用導体ピンと二次コイルの低電圧側巻線端部とを接続する部分の配線が複雑になり、点火コイルにおいて上記配線の周辺に位置する部分が大型化してしまう。
【０００６】
本発明は、かかる従来の問題点に鑑みてなされたもので、ケース内におけるグラウンド用又は電源用の配線部分を小さくして、点火コイル全体の小型化を図ることができる内燃機関用点火コイルを提供するものである。
【課題を解決するための手段】
【０００７】
第１の発明は、一次コイル、二次コイル及びイグナイタをケース内に収容してなる内燃機関用点火コイルにおいて、
上記イグナイタは、上記一次コイルへの通電及びその遮断を行う半導体素子をモールド樹脂によって覆うと共に、２つのグラウンド用導体ピンを上記モールド樹脂から引き出してなり、
一方の上記グラウンド用導体ピンには、上記二次コイルの低電圧側巻線端部に導通された導通部材の一端部が接続してあり、
上記一方のグラウンド用導体ピンは、上記イグナイタの内部において他方のグラウンド用導体ピンと導通されており、
上記一方のグラウンド用導体ピンの先端部には、該先端部を分断するスリットが形成してあり、
上記導通部材の一端部は、上記スリットに嵌入してあることを特徴とする内燃機関用点火コイルにある（請求項１）。
【０００８】
第２の発明は、一次コイル、二次コイル及びイグナイタをケース内に収容してなる内燃機関用点火コイルにおいて、
上記イグナイタは、上記一次コイルへの通電及びその遮断を行う半導体素子をモールド樹脂によって覆うと共に、２つの電源用導体ピンを上記モールド樹脂から引き出してなり、
一方の電源用導体ピンには、上記二次コイルの低電圧側巻線端部に導通された導通部材の一端部が接続してあり、
上記一方の電源用導体ピンは、上記イグナイタの内部において他方の電源用導体ピンと導通されており、
上記一方の電源用導体ピンの先端部には、該先端部を分断するスリットが形成してあり、
上記導通部材の一端部は、上記スリットに嵌入してあることを特徴とする内燃機関用点火コイルにある（請求項４）。
【発明の効果】
【０００９】
第１の発明の内燃機関用点火コイルにおいては、イグナイタから引き出すグラウンド用導体ピンの数を意図的に増加させ、この増加させたグラウンド用導体ピンに、二次コイルの低電圧側巻線端部に導通された導通部材の一端部を接続させている。具体的には、導通部材の一端部を、意図的に増加させた一方のグラウンド用導体ピンに接続し、一方のグラウンド用導体ピンは、イグナイタの内部において他方のグラウンド用導体ピンと導通させている。
これにより、二次コイルの低電圧側巻線端部に接続されるグラウンド用の配線部分がイグナイタの側方に大きく突出することを防止し、ケース及び点火コイルが大型化することを防止することができる。
【００１０】
それ故、第１の発明の内燃機関用点火コイルによれば、ケース内であってイグナイタの外部におけるグラウンド用の配線部分を小さくして、点火コイル全体の小型化を図ることができる。
【００１１】
第２の発明の内燃機関用点火コイルにおいては、イグナイタから引き出す電源用導体ピンの数を意図的に増加させ、この増加させた電源用導体ピンに、二次コイルの低電圧側巻線端部に導通された導通部材の一端部を接続させている。具体的には、導通部材の一端部を、意図的に増加させた一方の電源用導体ピンの先端部に接続し、一方の電源用導体ピンは、イグナイタの内部において他方の電源用導体ピンと導通させている。
これにより、二次コイルの低電圧側巻線端部に接続される電源用の配線部分がイグナイタの側方に大きく突出することを防止し、ケース及び点火コイルが大型化することを防止することができる。
【００１２】
それ故、第２の発明の内燃機関用点火コイルによれば、ケース内であってイグナイタの外部における電源用の配線部分を小さくして、点火コイル全体の小型化を図ることができる。
【図面の簡単な説明】
【００１３】
【図１】実施例１にかかる、内燃機関用点火コイルを上方から見た状態で示す断面説明図。
【図２】実施例１にかかる、内燃機関用点火コイルを側方から見た状態で示す断面説明図。
【図３】実施例１にかかる、イグナイタにおける各導体ピンの形成状態を示す説明図。
【図４】実施例１にかかる、グラウンド用導体ピンと導通部材（ダイオード）との接続状態を示す説明図。
【図５】実施例１にかかる、内燃機関用点火コイルの電気回路図を概略的に示す説明図。
【図６】実施例２にかかる、内燃機関用点火コイルの電気回路図を概略的に示す説明図。
【図７】実施例２にかかる、イグナイタにおける各導体ピンの形成状態を示す説明図。
【発明を実施するための形態】
【００１４】
上述した第１、第２の発明の内燃機関用点火コイルにおける好ましい実施の形態につき説明する。
第１の発明において、上記ケースから突出して設けられたコネクタ部には、グラウンド用端子、点火信号用端子及び電源用端子が配列されており、上記イグナイタは、上記半導体素子に導通された複数の導体ピンを、上記モールド樹脂から配列した状態で引き出してなり、上記複数の導体ピンのうち両側の端に位置する導体ピンは、上記一次コイルの一方側巻線端部に導通された電源用導体ピンと、上記一次コイルの他方側巻線端部に導通された半導体素子用導体ピンとであり、上記電源用導体ピンと上記半導体素子用導体ピンとの間には、上記２つのグラウンド用導体ピンと点火信号用導体ピンとが配列されており、上記グラウンド用端子には上記他方のグラウンド用導体ピンが接続され、上記点火信号用端子には上記点火信号用導体ピンが接続され、上記電源用端子には上記電源用導体ピンが接続されていることが好ましい（請求項２）。
【００１５】
この場合には、一次コイルの一方側巻線端部と他方側巻線端部とは、イグナイタから引き出された複数の導体ピンのうち両側の端に位置する電源用導体ピンと半導体素子用導体ピンとにそれぞれ接続されている。これにより、接続に大きなスペースを必要とする一次コイルの一方側巻線端部と他方側巻線端部とを、イグナイタ及びコネクタ部に対する両側の外方位置に配置することができ、これらの接続スペースを適切に確保することができる。そのため、この構造によっても、ケース及び点火コイルが大型化することを防止することができる。
なお、イグナイタから引き出された残りの導体ピンは、コネクタ部における各端子と、半田、溶接等の方法によって接合される。
【００１６】
また、上記一方のグラウンド用導体ピンの先端部には、該先端部を分断するスリットが形成してあり、上記導通部材の一端部は、上記スリットに嵌入してある。
これにより、意図的に増加させた一方のグラウンド用導体ピンを、圧入により、極めて簡単にグラウンドに接続することができる。
【００１７】
第２の発明において、上記ケースから突出して設けられたコネクタ部には、グラウンド用端子、点火信号用端子及び電源用端子が配列されており、上記イグナイタは、上記半導体素子に導通された複数の導体ピンを、上記モールド樹脂から配列した状態で引き出してなり、上記複数の導体ピンのうち両側の端に位置する導体ピンは、上記一次コイルの一方側巻線端部に導通された上記他方の電源用導体ピンと、上記一次コイルの他方側巻線端部に導通された半導体素子用導体ピンとであり、上記他方の電源用導体ピンと上記半導体素子用導体ピンとの間には、上記一方の電源用導体ピンとグラウンド用導体ピンと点火信号用導体ピンとが配列されており、上記グラウンド用端子には上記グラウンド用導体ピンが接合され、上記点火信号用端子には上記点火信号用導体ピンが接合され、上記電源用端子には上記他方の電源用導体ピンが接合されていることが好ましい（請求項５）。
【００１８】
この場合には、一次コイルの一方側巻線端部と他方側巻線端部とは、イグナイタから引き出された複数の導体ピンのうち両側の端に位置する他方の電源用導体ピンと半導体素子用導体ピンとにそれぞれ接続されている。これにより、接続に大きなスペースを必要とする一次コイルの一方側巻線端部と他方側巻線端部とを、イグナイタ及びコネクタ部に対する両側の外方位置に配置することができ、これらの接続スペースを適切に確保することができる。そのため、この構造によっても、ケース及び点火コイルが大型化することを防止することができる。
なお、イグナイタから引き出された残りの導体ピンは、コネクタ部における各端子と、半田、溶接等の方法によって接合される。
【００１９】
また、上記一方の電源用導体ピンの先端部には、該先端部を分断するスリットが形成してあり、上記ダイオードの一端部は、上記スリットに嵌入してある。
これにより、意図的に増加させた一方の電源用導体ピンは、圧入により、極めて簡単に電源に接続することができる。
【００２０】
第１、第２の発明において、上記スリットの開口部を形成する内側角部には、上記導通部材の一端部の嵌入を案内するためのテーパ部が形成してあることが好ましい（請求項６）。
この場合には、一方のグラウンド用導体ピン又は一方の電源用導体ピンの先端部に形成したスリットへ、導通部材の一端部を嵌入することが容易になる。
【００２１】
上記導通部材の一端部は、上記スリットへの嵌入方向の開口側に位置する押込み面を平坦状に形成してなることが好ましい（請求項７）。
この場合には、導通部材の一端部をスリットに嵌入する際に、平坦状の押込み面を治具等によって押すことができる。そのため、より確実に精度良く導通部材の一端部をスリットに押し込むことができる。
導通部材の一端部は、嵌入方向に対して扁平させて、嵌入方向の両側の面を平坦状に形成することができ、断面略四角形状に形成することもできる。
【００２２】
また、上記導通部材は、上記ケース内に収容され、上記一次コイルへの通電を開始した時に上記二次コイルに生ずる起電圧をグラウンドへ逃がすためのダイオードであることが好ましい（請求項３）。
この場合には、ケース内に配置したダイオードの一端部を利用して、二次コイルの低電圧側巻線端部を一方のグラウンド用導体ピンと接続することができる。
また、上記導通部材は、上記ケース内に収容され、上記一次コイルへの通電を開始した時に上記二次コイルに生ずる起電圧を電源へ逃がすためのダイオードであることが好ましい（請求項８）。
この場合には、ケース内に配置したダイオードの一端部を利用して、二次コイルの低電圧側巻線端部を他方の電源用導体ピンと接続することができる。
【実施例】
【００２３】
以下に、本発明の内燃機関用点火コイルにかかる実施例につき、図面を参照して説明する。
（実施例１）
本例の内燃機関用点火コイル１は、図２に示すごとく、一次コイル２１、二次コイル２２及びイグナイタ４をケース３内に収容してなる。
図１に示すごとく、ケース３から突出して設けられたコネクタ部３１には、グラウンド用端子３２Ｇ、点火信号用端子３２Ｉ及び電源用端子３２Ｖが配列されている。イグナイタ４は、一次コイル２１への通電及びその遮断を行う半導体素子４１をモールド樹脂４２によって覆うと共に、半導体素子４１に導通された複数の導体ピン４３を、モールド樹脂４２から配列した状態で引き出してなる。
【００２４】
複数の導体ピン４３のうち両側の端に位置する導体ピンは、一次コイル２１の一方側巻線端部２１１に導通された電源用導体ピン４３Ｖと、一次コイル２１の他方側巻線端部２１２に導通された半導体素子用導体ピン４３Ｃとである。電源用導体ピン４３Ｖと半導体素子用導体ピン４３Ｃとの間には、２つのグラウンド用導体ピン４３Ｆ、４３Ｇと点火信号用導体ピン４３Ｉとが配列されている。グラウンド用端子３２Ｇには他方のグラウンド用導体ピン４３Ｇが接合され、点火信号用端子３２Ｉには点火信号用導体ピン４３Ｉが接合され、電源用端子３２Ｖには電源用導体ピン４３Ｖが接合されている。
一方のグラウンド用導体ピン４３Ｆの先端部には、この先端部を分断するスリット４３１が形成してある。スリット４３１には、二次コイル２２の低電圧側巻線端部２２１に導通された導通部材５の一端部５１が嵌入してある。図３に示すごとく、一方のグラウンド用導体ピン４３Ｆは、イグナイタ４の内部において他方のグラウンド用導体ピン４３Ｇと導通されている。
【００２５】
以下に、本例の内燃機関用点火コイル１につき、図１〜図５を参照して詳説する。
図２に示すごとく、ケース３内において、電線を巻回してなる円筒状の一次コイル２１と二次コイル２２とは、同一軸心状に内外周に重ねて配置されている。一次コイル２１及び二次コイル２２の内周側には、軟磁性材料からなる中心コア２３が配置してあり、一次コイル２１及び二次コイル２２の外周側には、軟磁性材料からなるロ字状（四角環形状）の外周コア２４が配置してある。
一次コイル２１及び二次コイル２２は、プラグホール内に配置されるスパークプラグ７へ接続するようケース３に形成された接続突出部３５に対して直交する方向に配置されている。
本例の導通部材５は、ケース３内に収容され、一次コイル２１への通電を開始した時に二次コイル２２に生ずる起電圧（ＯＮ電圧）をグラウンドへ逃がすためのダイオード５である。
【００２６】
イグナイタ４は、矩形箱状に形成されており、一次コイル２１及び二次コイル２２に対する軸方向の一端側において、板形状の板面を一次コイル２１及び二次コイル２２の軸方向に向けて配置されている。各導体ピン４３は、イグナイタ４における上側部から、整列して上方（接続部３２３とは反対側）へ引き出されている。
図１、図３に示すごとく、イグナイタ４における各導体ピン４３は、一方の側端から順に、電源用導体ピン４３Ｖ、一方のグラウンド用導体ピン４３Ｆ、点火信号用導体ピン４３Ｉ、他方のグラウンド用導体ピン４３Ｇ、半導体素子用導体ピン４３Ｃとして引き出されている。
【００２７】
図１に示すごとく、コネクタ部３１に配列された各端子３２は、一方の側端から順に、電源用端子３２Ｖ、点火信号用端子３２Ｉ、グラウンド用端子３２Ｇとして配列されている。
電源用端子３２Ｖは、端子本体部３２２から分岐して、一次コイル２１の一方側巻線端部２１１を接続するための接続部３２３を形成してなる。一次コイル２１の他方側巻線端部２１２と半導体素子用導体ピン４３Ｃとは、曲折する導体材３３によって接続されている。図２に示すごとく、電源用端子３２Ｖ、点火信号用端子３２Ｉ及びグラウンド用端子３２Ｇには、いずれも各導体ピン４３と対面して接合するための接合端部３２１が形成されている。
【００２８】
図１、図２に示すごとく、本例のコネクタ部３１は、二次コイル２２を巻回した二次スプール３０を延長して一体的に形成してある。一次コイル２１、二次コイル２２、二次スプール３０、中心コア２３、外周コア２４等を組み付けた組付体をケース３内に配置したときには、コネクタ部３１がケース３から突出する。そして、ケース３内の隙間を熱硬化性樹脂６によって充填して、点火コイル１を形成している。なお、コネクタ部３１は、ケース３自体から延長して形成することもできる。
【００２９】
図３に示すごとく、イグナイタ４内（モールド樹脂４２内）においては、各導体ピン４３から導体部が延長形成されている。一方のグラウンド用導体ピン４３Ｆは、点火信号用導体ピン４３Ｉに繋がる導体部４３５Ｉの周りに形成された導体部４３５Ｈによって、他方のグラウンド用導体ピン４３Ｇと導通されている。また、導体部４３５Ｈの周りには、半導体素子用導体ピン４３Ｃに繋がる導体部４３５Ｃが形成されている。
【００３０】
導通部材５としてのダイオード５の一端部（一方の端子部）５１は、断面円形状のまま一方のグラウンド用導体ピン４３Ｆに形成したスリット４３１に嵌入することができる。これに対し、図４に示すごとく、ダイオード５の一端部５１は、スリット４３１への嵌入方向Ｘの開口側に位置する押込み面５１１を平坦状に形成してなることができる。この場合には、ダイオード５の一端部５１をスリット４３１に嵌入する際に、平坦状の押込み面５１１を治具等によって押すことができる。そのため、より確実に精度良くダイオード５の一端部５１をスリット４３１に押し込むことができる。
【００３１】
ダイオード５の一端部５１は、断面円形状から嵌入方向Ｘに対して扁平させて、嵌入方向Ｘの両側の面を平坦状に形成することができ、断面円形状から断面略四角形状に加工して形成することもできる。
同図に示すごとく、スリット４３１の開口部を形成する内側角部には、ダイオード５の一端部５１の嵌入を案内するためのテーパ部４３２が形成してある。これにより、一方のグラウンド用導体ピン４３Ｆの先端部に形成したスリット４３１へ、ダイオード５の一端部５１を容易に嵌入することができる。
【００３２】
イグナイタ４における半導体素子４１はスイッチング素子等から構成されており、スイッチング制御回路を構成している。スイッチング制御回路は、ＥＣＵ（エンジン制御ユニット）等の外部機器から指令を受けて、一次コイル２１への通電とその遮断とをスイッチングするよう構成されている。
続いて、図５に、本例の点火コイル１の電気回路図を概略的に示す。
イグナイタ４においては、点火信号用端子３２Ｉから点火信号を受け取る制御ＩＣ４１Ａ、制御ＩＣ４１Ａによって制御されるトランジスタ４１Ｂ、電源ＶＢとトランジスタ４１Ｂとを接続する抵抗４１１、トランジスタ４１Ｂに抵抗４１２を介して接続されたパワートランジスタ（ＩＧＢＴ）４１Ｃが配設してある。電源ＶＢは、点火コイル１の外部に配置されており、電源ＶＢには、その出力の安定化を図るコンデンサＣが接続されている。イグナイタ４内のグラウンド（ＧＮＤ）は、点火コイル１の外部のグラウンドに接続されている。同図においては、イグナイタ４における各導体ピン４３の形成箇所を概念的に示す。
【００３３】
点火信号用端子３２Ｉに点火信号がないときは、トランジスタ４１ＢがＯＦＦ状態にあると共にパワートランジスタ４１ＣがＯＮ状態にあり、一次コイル２１に通電が行われる。また、一次コイル２１に通電を開始する時に二次コイル２２に生ずる起電圧（ＯＮ電圧）によって流れる電流は、二次コイル２２の低電圧側巻線端部２２１に接続したダイオード５からグラウンドへ落として除去する。
点火信号用端子３２ＩにＥＣＵ等から点火信号が送られたときには、トランジスタ４１ＢがＯＮ状態になると共にパワートランジスタ４１ＣがＯＦＦ状態になり、一次コイル２１への通電が遮断される。このとき、一次コイル２１と二次コイル２２との相互誘導作用により二次コイル２２に高電圧の誘導起電圧が発生し、点火コイル１に装着されたスパークプラグ７の一対の電極間にスパークが発生する。
【００３４】
本例の内燃機関用点火コイル１においては、イグナイタ４におけるグラウンド用導体ピン４３Ｆ、４３Ｇと、コネクタ部３１におけるグラウンド用端子３２Ｇとの接続の仕方に工夫を行っている。
本例においては、イグナイタ４から引き出すグラウンド用導体ピンの数を意図的に増加させ、この増加させたグラウンド用導体ピン４３Ｆに、ダイオード５の一端部５１を簡単な方法により接続させている。具体的には、意図的に増加させた一方のグラウンド用導体ピン４３Ｆの先端部にスリット４３１を形成し、スリット４３１に、二次コイル２２の低電圧側巻線端部２２１に導通されたダイオード５の一端部５１を嵌入している。また、一方のグラウンド用導体ピン４３Ｆは、イグナイタ４の内部において他方のグラウンド用導体ピン４３Ｇと導通させている。
これにより、二次コイル２２の低電圧側巻線端部２２１に接続されるグラウンド用の配線部分がイグナイタ４の側方に大きく突出して、ケース３及び点火コイル１が大型化することを防止することができる。また、意図的に増加させた一方のグラウンド用導体ピン４３Ｆは、圧入を行うことにより、極めて簡単にグラウンドに接続することができる。
【００３５】
なお、イグナイタ４から引き出された残りの導体ピンは、コネクタ部３１における各端子３２と、半田、溶接等の方法によって接合される。
また、本例においては、一次コイル２１の一方側巻線端部２１１と他方側巻線端部２１２とは、イグナイタ４から引き出された複数の導体ピン４３のうち、両側の端に位置する電源用導体ピン４３Ｖと半導体素子用導体ピン４３Ｃとにそれぞれ接続されている。これにより、接続に大きなスペースを必要とする一次コイル２１の一方側巻線端部２１１と他方側巻線端部２１２とを、イグナイタ４及びコネクタ部３１に対する両側の外方位置に配置することができ、これらの接続スペースを適切に確保することができる。そのため、この構造によっても、ケース３及び点火コイル１が大型化することを防止することができる。
【００３６】
それ故、本例の内燃機関用点火コイル１によれば、ケース３内であってイグナイタ４の外部におけるグラウンド用の配線部分を小さくして、点火コイル１全体の小型化を図ることができる。
【００３７】
（実施例２）
本例は、図６に示すごとく、二次コイル２２の低電圧側巻線端部２２１に接続したダイオード（導通部材）５を電源ＶＢに接続する場合の例であり、イグナイタ４における電源用導体ピン４３Ｖ、４３Ｗとコネクタ部３１における電源用端子３２Ｖとの接続の仕方に工夫を行った例である。
図７に示すごとく、本例の内燃機関用点火コイル１においては、イグナイタ４における複数の導体ピン４３のうち両側の端に位置する導体ピンを、一次コイル２１の一方側巻線端部２１１に導通された他方の電源用導体ピン４３Ｖと、一次コイル２１の他方側巻線端部２１２に導通された半導体素子用導体ピン４３Ｃとし、他方の電源用導体ピン４３Ｖと半導体素子用導体ピン４３Ｃとの間には、一方の電源用導体ピン４３Ｕとグラウンド用導体ピン４３Ｇと点火信号用導体ピン４３Ｉとを配列している。一方の電源用導体ピン４３Ｕは、他方の電源用導体ピン４３Ｖに隣接するすぐ内側に配置されている。
【００３８】
そして、グラウンド用端子３２Ｇにはグラウンド用導体ピン４３Ｇが接合され、点火信号用端子３２Ｉには点火信号用導体ピン４３Ｉが接合され、電源用端子３２Ｖには他方の電源用導体ピン４３Ｖが接合されている（図１参照）。一方の電源用導体ピン４３Ｕの先端部には、この先端部を分断するスリット４３１が形成してあり、スリット４３１には、二次コイル２２の低電圧側巻線端部２２１に導通されたダイオード５の一端部５１が嵌入してある。一方の電源用導体ピン４３Ｕは、一方の電源用導体ピン４３Ｕからイグナイタ４の内部において延長して形成した導体部４３５Ｕによって、他方の電源用導体ピン４３Ｖと導通されている。
なお、本例の各導体ピン４３と各端子３２との接続状態は、上記実施例１の図１と同様である。
【００３９】
本例においては、イグナイタ４から引き出す電源用導体ピンの数を意図的に増加させ、この増加させた電源用導体ピン４３Ｕに、ダイオード５の一端部５１を簡単な方法により接続させている。具体的には、意図的に増加させた一方の電源用導体ピン４３Ｕの先端部にスリット４３１を形成し、このスリット４３１に、二次コイル２２の低電圧側巻線端部２２１に導通されたダイオード５の一端部５１を嵌入している。また、一方の電源用導体ピン４３Ｕは、イグナイタ４の内部において他方の電源用導体ピン４３Ｖと導通させている。
これにより、二次コイル２２の低電圧側巻線端部２２１に接続される電源用の配線部分がイグナイタ４の側方に大きく突出することを防止し、ケース３及び点火コイル１が大型化することを防止することができる。また、意図的に増加させた一方の電源用導体ピン４３Ｕは、圧入を行うことにより、極めて簡単に電源ＶＢに接続することができる。
その他、本例の点火コイル１の構成及び作用効果は、上記実施例１と同様である。
【符号の説明】
【００４０】
１  内燃機関用点火コイル
２１  一次コイル
２１１  一方側巻線端部
２１２  他方側巻線端部
２２  二次コイル
２２１  低電圧側巻線端部
３  ケース
３１  コネクタ部
３２Ｖ  電源用端子
３２Ｇ  グラウンド用端子
３２Ｉ  点火信号用端子
４  イグナイタ
４１  半導体素子
４２  モールド樹脂
４３Ｖ  電源用導体ピン
４３Ｃ  半導体素子用導体ピン
４３Ｆ  一方のグラウンド用導体ピン
４３Ｇ  他方のグラウンド用導体ピン
４３Ｉ  点火信号用導体ピン
４３１  スリット
５  導通部材（ダイオード）
【図１】
0005672879.tif 000002
【図２】
0005672879.tif 000003
【図３】
0005672879.tif 000004
【図４】
0005672879.tif 000005
【図５】
0005672879.tif 000006
【図６】
0005672879.tif 000007
【図７】
0005672879.tif 000008